(57)【要約】【課題】使用者に適切に装着できる展開型紙おむつを提供する。【解決手段】装着状態で使用者の背中側が当接する使用面の背側部３６に、その背側部３６の幅方向Ａ両外側に一対のサイドフラップ２２Ａ，２２Ｂを備え、さらにその一対のサイドフラップ２２Ａ，２２Ｂの幅方向Ａ外側にサイドパネル２３Ａ，２３Ｂを設け、そのサイドパネル２３Ａ，２３Ｂの幅方向Ａと直交する長手方向Ｂに間隔をおいて２つの止着部２４Ａ，２４Ｂを備え、その２つの止着部２４Ａ，２４Ｂの間でかつサイドパネル２３Ａ，２３Ｂ上に、幅方向Ａに延びた装着目安となる識別部３０を形成する。【選択図】図１
2005279006.tif 000002
【特許請求の範囲】
【請求項１】
身体に装着して使用面で排泄物を吸収する展開型紙おむつにおいて、
装着状態で使用者の背中側が当接する前記使用面の背側部に、幅方向に延びた装着目安となる識別部を備えることを特徴とする展開型紙おむつ。
【請求項２】
前記背側部の前記幅方向両側に一対のサイドフラップを備え、該一対のサイドフラップに前記識別部が設けられていることを特徴とする請求項１に記載の展開型紙おむつ。
【請求項３】
前記背側部の前記幅方向両外側に一対のサイドフラップを備え、さらに該一対のサイドフラップの前記幅方向外側に止着部を備えたサイドパネルをそれぞれ設け、該サイドパネルに前記識別部が設けられていることを特徴とする請求項１に記載の展開型紙おむつ。
【請求項４】
前記サイドパネルに前記止着部を２ｎ（ｎは自然数）箇所間隔をおいて備え、ｎ番目の止着部と（ｎ＋１）番目の止着部との間に前記識別部を備えることを特徴とする請求項３に記載の展開型紙おむつ。
【請求項５】
前記サイドパネルに前記識別部に沿ってミシン目が形成されたことを特徴とする請求項４に記載の展開型紙おむつ。
【請求項６】
前記識別部が同一線上に形成されたことを特徴とする請求項１ないし５のいずれかに記載の展開型紙おむつ。
【請求項７】
身体に装着して使用面で排泄物を吸収する展開型紙おむつの製造方法において、
装着状態で使用者の背中側が当接する前記使用面の背側部に、該背側部の幅方向両外側に一対のサイドフラップを備え、
さらに該一対のサイドフラップの前記幅方向外側にサイドパネルを設け、該サイドパネルの前記幅方向と直交する長手方向に間隔をおいて２つの止着部を備え、
該２つの止着部の間でかつ前記サイドパネル上に、前記幅方向に延びた装着目安となる識別部が形成された展開型紙おむつの製造方法であって、
前記サイドパネルに前記識別部を印刷によって形成する識別部形成ステップと、
前記印刷によって形成された識別部に重ねてミシン目を付与するミシン目形成ステップとを有することを特徴とする展開型紙おむつの製造方法。
【発明の詳細な説明】
【技術分野】
【０００１】
本発明は、身体に装着して使用面で排泄物を吸収する展開型紙おむつに関する。詳しくは、装着状態で使用者の背中側が当接する使用面の背側部に幅方向に延びた装着目安となる識別部を備えた展開型紙おむつに関する。
【背景技術】
【０００２】
介護者が従来の展開型紙おむつを使用者に装着するときには、使用者の臀部を使用面に載置するにあたり、その載置位置を介護者の経験による目見当で決めて使用者に装着していた。しかし、このような装着方法では展開型紙おむつが使用者に適切に装着されないことがあり、その場合には展開型紙おむつと使用者との間に隙間ができてしまい、その隙間から排泄物が漏れてしまうという問題があった。
そこで、図５に示すように使用面に識別部を設けた展開型紙おむつが開示されている（例えば特許文献１）。この展開型紙おむつは、詳しくは、液透過性のトップシート１と、液不透過性のバックシート２と、これら両シート間に配置される吸収体３とを有し、着用時に使用者の背側に位置する背側部６と腹側に位置する腹側部８と股下に位置する股下部７とが形成されてなる。また、背側部６の左右両側縁部には、おむつを止着するファスニングテープ４がそれぞれ２ヵ所づつ設けられている。トップシート１上の背側部６の幅方向Ａ略中央部に、おむつの長手方向Ｂに沿って識別部５が設けられている。
【特許文献１】特開平８−２８０７２５号公報
【発明の開示】
【発明が解決しようとする課題】
【０００３】
しかし、このような識別部５は、展開型紙おむつの幅方向Ａに対して使用者を適切な位置に載置して装着することを容易にするが、長手方向Ｂに対して使用者を適切な位置に載置して装着することを容易にするものではなく、展開型紙おむつを使用者に適切に装着できず展開型紙おむつと使用者との間に隙間ができてしまい、その隙間から排泄物が漏れてしまうという問題があった。
そこで、この発明の目的は、使用者に適切に装着できる展開型紙おむつを提供することにある。
【課題を解決するための手段】
【０００４】
このため、請求項１に記載の発明は、身体に装着して使用面で排泄物を吸収する展開型紙おむつにおいて、
装着状態で使用者の背中側が当接する前記使用面の背側部に、幅方向に延びた装着目安となる識別部を備えることを特徴とする。
【０００５】
請求項２に記載の発明は、請求項１に記載の展開型紙おむつにおいて、前記背側部の前記幅方向両側に一対のサイドフラップを備え、該一対のサイドフラップに前記識別部が設けられていることを特徴とする。
【０００６】
請求項３に記載の発明は、請求項１に記載の展開型紙おむつにおいて、前記背側部の前記幅方向両外側に一対のサイドフラップを備え、さらに該一対のサイドフラップの前記幅方向外側に止着部を備えたサイドパネルをそれぞれ設け、該サイドパネルに前記識別部が設けられていることを特徴とする。
【０００７】
請求項４に記載の発明は、請求項３に記載の展開型紙おむつにおいて、前記サイドパネルに前記止着部を２ｎ（ｎは自然数）箇所間隔をおいて備え、ｎ番目の止着部と（ｎ＋１）番目の止着部との間に前記識別部を備えることを特徴とする。
【０００８】
請求項５に記載の発明は、請求項４に記載の展開型紙おむつにおいて、前記サイドパネルに前記識別部に沿ってミシン目が形成されたことを特徴とする。
【０００９】
請求項６に記載の発明は、請求項１ないし５のいずれかに記載の展開型紙おむつにおいて、前記識別部が同一線上に形成されたことを特徴とする。
【００１０】
請求項７に記載の発明は、身体に装着して使用面で排泄物を吸収する展開型紙おむつの製造方法において、
装着状態で使用者の背中側が当接する前記使用面の背側部に、該背側部の幅方向両外側に一対のサイドフラップを備え、
さらに該一対のサイドフラップの前記幅方向外側にサイドパネルを設け、該サイドパネルの前記幅方向と直交する長手方向に間隔をおいて２つの止着部を備え、
該２つの止着部の間でかつ前記サイドパネル上に、前記幅方向に延びた装着目安となる識別部が形成された展開型紙おむつの製造方法であって、
前記サイドパネルに前記識別部を印刷によって形成する識別部形成ステップと、
前記印刷によって形成された識別部に重ねてミシン目を付与するミシン目形成ステップとを有することを特徴とする。
【発明の効果】
【００１１】
請求項１の発明によれば、身体に装着して使用面で排泄物を吸収する展開型紙おむつにおいて、装着状態で使用者の背中側が当接する使用面の背側部に、幅方向に延びた装着目安となる識別部を備えるので、展開型紙おむつを装着する際に、その展開型紙おむつの幅方向と直交する長手方向に使用者を位置決めするのが容易になり、使用者に適切に装着できる展開型紙おむつを提供することができる。これにより、展開型紙おむつと使用者との間に隙間ができなくなり、排泄物の漏れを防止することができる。
【００１２】
請求項２の発明によれば、背側部の幅方向両側に一対のサイドフラップを備え、その一対のサイドフラップに識別部が設けられているので、使用者を展開型おむつの背側部に載置した後であっても、識別部が使用者によって隠されることがなく、展開型紙おむつと使用者との位置関係を適切に移動させて装着することが容易になる。
【００１３】
請求項３の発明によれば、背側部の幅方向両外側に一対のサイドフラップを備え、さらにその一対のサイドフラップの幅方向外側に止着部を備えたサイドパネルをそれぞれ設け、そのサイドパネルに識別部が設けられているので、使用者を展開型おむつの背側部に載置した後であっても、識別部が使用者によって隠されることがなく、展開型紙おむつと使用者との位置関係を適切に移動させて装着することが容易になる。
【００１４】
請求項４の発明によれば、サイドパネルに止着部を２ｎ（ｎは自然数）箇所間隔をおいて備え、ｎ番目の止着部と（ｎ＋１）番目の止着部との間に識別部を備えるので、例えばそれぞれのサイドパネルに２箇所ずつの止着部がある場合、識別部で使用者と展開型紙おむつとの相対的位置関係を確認しながら、その２箇所の止着部を互いに交差させて止着することによって使用者によりフィットさせて装着することが可能となる。したがって、タセ型の体型の使用者にも適切に装着することができ、一層、漏れない展開型紙おむつを提供することができる。
【００１５】
請求項５の発明によれば、サイドパネルに識別部に沿ってミシン目が形成されているので、必要に応じてこのミシン目にそってサイドパネルに切り込みを入れることができ、それによって止着部を長く形成することができ、より一層請求項４に記載の効果をより発揮することができる。また、識別部に沿ってミシン目を形成することで、サイドパネルからミシン目を容易に識別することができる。
【００１６】
請求項６の発明によれば、識別部が同一線上に形成されているので、識別部を容易に識別することができる。
【００１７】
請求項７の発明によれば、身体に装着して使用面で排泄物を吸収する展開型紙おむつの製造方法において、装着状態で使用者の背中側が当接する使用面の背側部に、その背側部の幅方向両外側に一対のサイドフラップを備え、さらにその一対のサイドフラップの幅方向外側にサイドパネルを設け、そのサイドパネルの幅方向と直交する長手方向に間隔をおいて２つの止着部を備え、その２つの止着部の間でかつサイドパネル上に、幅方向に延びた装着目安となる識別部が形成された展開型紙おむつの製造方法であって、サイドパネルに識別部を印刷によって形成する識別部形成ステップと、印刷によって形成された識別部に重ねてミシン目を付与するミシン目形成ステップとを有するので、識別部とミシン目とが確実に重なり、サイドパネルに形成されたミシン目を容易に識別することができる。
【発明を実施するための最良の形態】
【００１８】
以下、図面を参照しつつ、この発明の実施の形態につき説明する。
図１は、この発明の展開型紙おむつの展開図である。展開型紙おむつは、矩形の長辺のほぼ中央部分にそれぞれ切り欠き４０を設けたバックシート１２と、メッシュ状の孔を複数有する不織布やフィルムなどを矩形に形成した液透過性のトップシート１１と、その間に介在する綿状パルプに高分子吸収体ポリマーを散在させた吸収体１３を備える。この吸収体１３は、表面を吸収用のティシュペーパー１８で覆われている。さらに吸収体１３は、トップシート１１側に位置する上層吸収体１４とバックシート１２側に位置する下層吸収体１５とからなる。
【００１９】
また、吸収体１３の長手方向Ｂの両縁に略沿うように弾性部材を内包する立体ギャザー（不図示）を長手方向Ｂに備え、その立体ギャザーを構成するギャザーシート２６を、矩形のトップシート１１の長辺の両外側のバックシート１２上に延出して備える。なお、このバックシート１２とギャザーシート２６との間には、矩形のトップシート１１の長辺の両外側に長手方向Ｂに沿って弾性部材２７を備える。この図では、弾性部材２７は左右にそれぞれ３本づつ備えるがこれに限定されるものではない。この弾性部材２７は、展開型紙おむつが使用者に適切に装着された時に使用者の脚回りにフィットして横モレを防ぐためのものである。なお、トップシート１１は装着する際の使用面となる。
このようにして、着用時に使用者の背側に位置する背側部３６と腹側に位置する腹側部３８と股下に位置する股下部３７とが形成されてなる。
なお、背側部３６の幅方向Ａ両側には、一対のサイドフラップ２２Ａ，２２Ｂを備え、その一対のサイドフラップ２２Ａ，２２Ｂの幅方向Ｂ外側には止着部２４を備えたサイドパネル２３Ａ，２３Ｂをそれぞれ設ける。
【００２０】
この止着部２４は、パネル基材２５の自由端部に一体に形成され、先端をツマミ部とし、その止着部２４の固定端側にはオス材のメカニカルファスナーなどからなる係合部を設ける。この係合部は裏面をホットメルト接着剤などによってパネル基材２５表面に接着して固定する。
なお、サイドパネル２３Ａ，２３Ｂには識別部３０が設けられている。詳しくは、サイドパネル２３Ａ，２３Ｂの外側部にそれぞれ止着部２４Ａ，２４Ｂを間隔をおいて形成し、その止着部２４Ａと止着部２４Ｂとの間には、楕円形の着色を施した識別部３０を幅方向Ａに同一線上に設ける。この識別部３０は装着時の装着目安となるものである。この識別部３０は印刷などによって着色を施すが、着色する色はサイドパネル２３Ａ，２３Ｂと異なり、かつ容易に区別できる色であることが好ましい。
また、腹側部３８の幅方向Ａ両側には、一対のサイドフラップ２１Ａ，２１Ｂを備える。
【００２１】
このように構成された展開型紙おむつを使用するときは、使用者の臀部を背側部３６の使用面であるトップシート１１上に載せる。この際、図２に示すように、使用者の腰骨の凸部である腰骨凸部３９が左右の識別部３０を結ぶ線（二点鎖線で表示）上に位置するように使用者を載せる。
そして、股下部３７を使用者の股間部にあてがい、腹側部３８を使用者の腹部に載せるように展開型紙おむつを折り曲げて、背側部３６にある止着部２４のオス材のメカニカルファスナーを腹側部３８のバックシート１２に係合させて止着し、展開型紙おむつを使用者に装着する。したがって、使用面の背側部３６は装着状態で使用者の背中側が当接するようになる。このとき、止着部２４Ａは使用者の腸骨４１よりも上側にて止着し、止着部２４Ｂは使用者の腸骨４１から坐骨４２の間の適切な位置に止着する。すなわち、識別部３０と腰骨の位置を合わせることにより、展開型紙おむつを装着したときに生ずるズレ落ちを低減させることができる。また、上述のように装着すると、弾性部材３７が使用者の脚回りに適切にフィットして展開型紙おむつと使用者との間に隙間を生じない。
【００２２】
このように、この発明の展開型紙おむつには識別部３０を備えるので、使用者に適切に装着することが容易になる。また、サイドパネル２３Ａ，２３Ｂに識別部３０を備えるので、使用者の臀部を展開型紙おむつの背側部３６に一度載置した後であっても、識別部３０が使用者によって隠されないので、展開型紙おむつと使用者との相対的な位置関係を適切な位置に容易に変更することができる。
なお、止着部２４は、サイドパネル２３Ａ，２３Ｂにそれぞれ２箇所ずつあることに限定されるものではなく、例えば、１箇所ずつであってもよいし、偶数箇所ずつあってもよい。
また、止着部２４はサイドパネル２３Ａ，２３Ｂと一体に形成されることに限定されるものではなく、止着部２４をサイドパネル２３Ａ，２３Ｂと別体に形成して、接合することによってサイドパネル２３Ａ，２３Ｂに設けるようにしてもよい。
さらに、識別部３０は図３（ａ）に示すように直線状に連続して形成されていてもよい。この場合、識別部３０は、１本線であっても２本線または３本線以上であってもよいし、波線などであってもよい。また、図３（ｂ）に示すように、サイドパネル２３Ａ，２３Ｂからサイドフラップ２２Ａ，２２Ｂにかけて識別部３０が設けられていてもよい。もちろん、サイドフラップ２２Ａ，２２Ｂ上にのみ識別部３０が設けられていてもよい。
【００２３】
この発明の展開型紙おむつは、サイドパネル２３Ａ，２３Ｂに止着部２４を２箇所ずつ間隔をおいて備え、それら２箇所の止着部２４の間に識別部３０を展開型紙おむつの幅方向Ａに形成し、その識別部３０に沿って重なるようにミシン目を形成してもよい。具体的には、図４（ａ）に示すように、サイドパネル２３Ｂに止着部２４Ａ，２４Ｂを間隔をおいて備える。そして、止着部２４Ａと止着部２４Ｂとの間に、点状の識別部３０を展開型紙おむつの幅方向Ａに形成する。さらにその識別部３０に沿って重なるようにミシン目３１を形成し、その内側端部に、展開型紙おむつの内側に向かっての引裂きを防止するＣ字状の切込み３２を形成する。なお、このミシン目３１は、サイドパネル２３Ａ，２３Ｂの外側すなわち止着部２４側の引裂き強度に対し、内側すなわち切込み３２側の引裂き強度を低くすると、意図的にミシン目３１を引裂かない限り、不用意にミシン目３１が裂けることがなく、より好適である。
【００２４】
このように構成された展開型紙おむつを使用するときは、上記使用方法と同様にして、識別部３０で識別しながら、使用者の臀部を背側部３６の使用面であるトップシート１１上の適切な位置に載置する。次に、股下部３７を使用者の股間部にあてがい、腹側部３８を使用者の腹部に載せるようにして展開型紙おむつを折り曲げる。そして、使用者の体型など必要に応じて（特にヤセ型の体型の場合）、サイドパネル２３Ａ，２３Ｂに形成されたミシン目３１に沿ってサイドパネル２３Ａ，２３Ｂに切り込みを入れる。これによって、止着部２４Ａ，２４Ｂを長く形成することができ、止着部２４Ａ，２４Ｂを互いに交差させてオス材のメカニカルファスナーを腹側部３８のバックシート１２上に止着する際に、使用者のウエストラインによりフィットさせて装着することができる。
【００２５】
なお、図４（ｂ）に示すように、直線状に連続して形成された識別部３０に沿って重なるようにミシン目３１を形成し、その内側端部に、展開型紙おむつの内側に向かっての引裂きを防止するＣ字状の切込み３２を形成してもよい。この場合にも、図４（ａ）にて説明したような使用方法にて装着することができ、同様の効果を奏することができる。
【００２６】
本発明において使用されるトップシート１１は、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００２７】
本発明において使用されるバックシート１２およびパネル基材２５は、たとえば、ＰＥ（ポリエチレン）等の液不透過性フィルム、液体不透過性フィルムと不織布または織布を貼り合わせた素材等である。液不透過性フィルムを使用した場合、ムレを防止するために、液体を透過させない程度の多数の微孔を設けたポリエチレン製フィルムや、熱可塑性樹脂にフィラーを加えて延伸した透湿性のあるフィルム、あるいはこれらのフィルムの外側に不織布、織布を貼り合わせた複合シートを用いると、吸収パッド内の余分な水分が気体の状態で吸収パッド外に放出されるため、ムレやカブレが起こりにくくなり、透湿性や肌触り等を快適なものとすることができる。また、液透過性の不織布などを用いて構成してもよい。
【００２８】
本発明において使用される吸収体１３は、綿状パルプ、高吸収性ポリマー（以下、「ＳＡＰ」という。）、親水性シート等からなり、特に制限を受けるものではない。また、本発明において使用される吸収体は、従来の展開型紙おむつやその他の吸収性物品において通常使用される公知の吸収性材料から作られている。
【００２９】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートでくるんで形成したものを使用することができる。
【００３０】
綿状パルプとしては、化学パルプシートもしくは、機械パルプシートを粉砕機で解繊することにより得られるものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜６００ｇ／ｍ2にされる。
【００３１】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００３２】
吸収体１３の圧縮方法としては、周面が平滑なロールなどにより、吸収体の密度がその全体にわたり実質的に均等になるように連続する面状に圧縮してもよいし、周面が凹凸状であるロールなどにより、吸収体の密度が部分的に異なり、尿や体液を縦方向及び斜め方向に導く模様配列のエンボスとなるように圧縮してもよい。エンボスの場合、圧縮部、非圧縮部は、連続、非連続のいずれであってもよい。
【００３３】
本発明で使用されるギャザーシート２６は、撥水加工した不織布または織布、ポリエチレン等の液体不透過性フィルム、ならびにその液体不透過性フィルムと不織布または織布を貼り合わせた素材等が使用できる。液体不透過性のフィルムを使用する場合、ムレを防止するために液体分子を透過させない程度の多数の微孔を設けたポリエチレン製フィルムや、熱可塑性樹脂にフィラーを加えて延伸した透湿性のあるフィルムが好ましい。
【００３４】
不織布、織布を使用する場合、その構成繊維は、ＰＰ（ポリプロピレン）、ＰＥ、ポリエステル、ＰＥＴ、ナイロン等の一般的に知られている組成を用いるが、そのうち強度の高いＰＥＴまたはＰＰが好適である。構成は単層または２層、若しくは３層以上の多層のうち、強度が高い２層以上が好適である。種類は、エアスルー、ポイントボンド、レジンボンド、スパンボンド、ＳＭＳ、ＳＭＭＳなどが用いられるが、そのうちより強度の高いスパンボンドが好適である。目付量は、最適なコシが得られる５０〜７０ｇ／ｍ2がより好ましい。
【００３５】
立体ギャザーに使用される弾性部材および弾性部材２７は、天然、合成ゴム、ウレタンなどの糸状、ひも状、ネット状、平型形状の通常の男性用吸収パッド、通常の吸収性物品に使用されている伸縮弾性体を使用することができる。伸縮弾性体は伸長状態で配置され、ホットメルト、澱粉系またはＣＭＣ（カルボキシメチルセルロース）などの水溶性の糊又は、流動性の高い接着剤、あるいは熱や超音波等による溶着により、撥水性素材に接着固定される。
【００３６】
なお、上述の止着部２４にオス材のメカニカルファスナーに代えて粘着テープなどの粘着部を備えるとともに、バックシート１２の腹側部３８の適当な位置にフィルム状のシートを備え、粘着部をフィルム状のシートに貼着することによって、止着部２４をバックシート１２に止着するようにしてもよい。
また、識別部３０に加えて、トップシート１１の背側部３６の幅方向Ａ中央に長手方向Ｂに沿って別の識別部を形成すると、使用者により適切に展開型紙おむつを装着することが容易になる。
【００３７】
なお、上述の展開型紙おむつの製造工程には、サイドパネル２３Ａ，２３Ｂに識別部３０を印刷によって形成する識別部形成ステップと、その識別部形成ステップの後に、識別部３０に重ねてミシン目３１と切込み３２を付与するミシン目形成ステップとを有し、このミシン目形成ステップでは、ミシン目３１と切込み３２が識別部３０からずれて付与されないように、制御部にて制御する。
【図面の簡単な説明】
【００３８】
【図１】この発明の展開型紙おむつの平面図である。
【図２】図１の展開型紙おむつを使用者に装着する状態を説明するための図である。
【図３】（ａ），（ｂ）は、図１の展開型紙おむつに備える識別部の別の例である。
【図４】（ａ），（ｂ）は、図１の展開型紙おむつに備える識別部に重ねてミシン目と切込みを形成した図である。
【図５】従来の展開型紙おむつの平面図である。
【符号の説明】
【００３９】
１１    トップシート
１２    バックシート
１３    吸収体
１４    上層吸収体
１５    下層吸収体
１８    ティッシュペーパー
２１Ａ，２１Ｂ，２２Ａ，２２Ｂ    サイドフラップ
２３Ａ，２３Ｂ    サイドパネル
２４，２４Ａ，２４Ｂ    止着部
２５    パネル基材
２６    ギャザーシート
２７    弾性部材
３０    識別部
３１    ミシン目
３２    切込み
３６    背側部
３７    股下部
３８    腹側部
３９    腰骨凸部
４０    切り欠き
４１    腸骨
４２    坐骨
【図１】
2005279006.tif 000003
【図２】
2005279006.tif 000004
【図３】
2005279006.tif 000005
【図４】
2005279006.tif 000006
【図５】
2005279006.tif 000007